(57)【要約】  【課題】  フラットベッドスキャナにＡＤＦを備えた構成の画像読取装置において、スイッチバックさせることなく、単一の読取位置にて、原稿の両面を読み取ることができる原稿搬送装置を提供することである。【解決手段】  ＡＤＦ内に構成されている第一反転路により原稿の表裏を反転させつつ読取位置へ送る第一搬送路と、前記読取位置に供給される原稿の第一面を読み取る読取装置と、読み取られた原稿を表裏反転させて再び前記読取位置へ送る第二搬送路と、該第二搬送路を経由して第二面が読み取られた原稿を排出する排出トレイとを備えていると共に、前記第二搬送路を前記フラットベッドスキャナの原稿押圧板内に形成する構成とした。【選択図】    図１
2005094604.tif 000002
【特許請求の範囲】
【請求項１】
載置される原稿を読み取るフラットベッドスキャナと、搬送される原稿を読み取る自動原稿給紙装置（ＡＤＦ）とを備える画像読取装置において、前記ＡＤＦ内に構成されている第一反転路により原稿の表裏を反転させつつ読取位置へ送る第一搬送路と、前記読取位置に供給される原稿の第一面を読み取る読取装置と、読み取られた原稿を表裏反転させて再び前記読取位置へ送る第二搬送路と、該第二搬送路を経由して第二面が読み取られた原稿を排出する排出トレイとを備えていると共に、前記第二搬送路が前記フラットベッドスキャナの原稿押圧板内に形成されていることを特徴とする原稿搬送装置。
【請求項２】
前記第二搬送路は前記読取位置から略水平に延設される第一水平路と、原稿を上向きに表裏反転させる第二反転路と、該第二反転路から略水平に延設される第二水平路と、該第二水平路の終端から前記読取装置へ向かって傾斜する傾斜路とを備えていることを特徴とする請求項１に記載の原稿搬送装置。
【請求項３】
前記傾斜路に原稿を供給する原稿給紙口を備えた構成とし、前記傾斜路に供給された原稿が前記読取位置からそのまま排出トレイに排出される構成としていることを特徴とする請求項２に記載の原稿搬送装置。
【発明の詳細な説明】
【技術分野】
【０００１】
本発明は、複写機、プリンタ、ファクシミリ装置等の画像読取装置における原稿搬送装置に係り、さらに詳しくは、原稿の両面を読み取るのに好適な原稿搬送装置に関するものである。
【背景技術】
【０００２】
従来、原稿の両面を読み取る画像読取装置としては、まず、原稿を読取位置へ給送して一面を読み取り、排出ローラにより排出トレイ上の排出口へ搬送した後に、原稿の後端を挟持する排出ローラの回転方向を逆転し（スイッチバックし）、該原稿を原稿戻し経路を通じて反転させつつ再度読取位置へ給送して、次に裏面を読み取って排出トレイへ排出するように構成されていた。
【０００３】
また、両面 の読み取りを終えて排出口へ搬送された原稿を再度スイッチバックさせ、さらにもう一度原稿戻し経路を通じて読取位置へ搬送し、このとき該読取位置では読み取りを行わずそのまま通過させ、原稿の表面を下にして排出し、ページ順を揃えながら順次積載していく画像読取装置が公開されている。（例えば、特許文献１参照）
さらに、原稿の両面を別々に読み取るように、二箇所に読取手段を設けた画像（原稿）読取装置もすでに公開されている。（例えば、特許文献２参照）
【特許文献１】特開平７−１７５２７９号公報（第１−５頁、第１図）
【特許文献２】特開平１−１９４６５８号公報（第１−８頁、第２図）
【発明の開示】
【発明が解決しようとする課題】
【０００４】
上記の特許文献１に記載の画像読取装置では、ページ揃えのための原稿反転処理が必要となるために、制御機構が複雑となる。さらに搬送距離も長くなって、原稿が斜行して搬送途中でジャム（紙詰まり）を起こし易いという問題がある。また、反転処理が終わるまで次の原稿の繰り込みが出来なくなり、原稿の両面を読み取る時間が長くなるという問題がある。
【０００５】
また、前記特許文献２に記載の画像（原稿）読取装置では、読取手段を二箇所に別々に設けており、コストが高くなっていると共に、フラットベッドスキャナにＡＤＦを備えた構成の画像読取装置においては、レイアウトの関係上読取手段が近接せざるを得ず、互いの光源の影響が無視できずに画質低下につながっていた。
【０００６】
本発明の目的は、フラットベッドスキャナにＡＤＦを備えた構成の画像読取装置において、スイッチバックさせることなく、単一の読取位置にて、原稿の両面を読み取ることができる原稿搬送装置を提供することである。
【課題を解決するための手段】
【０００７】
上記の目的を達成するために請求項１に係る発明は、載置される原稿を読み取るフラットベッドスキャナと、搬送される原稿を読み取る自動原稿給紙装置（ＡＤＦ）とを備える画像読取装置において、前記ＡＤＦ内に構成されている第一反転路により原稿の表裏を反転させつつ読取位置へ送る第一搬送路と、前記読取位置に供給される原稿の第一面を読み取る読取装置と、読み取られた原稿を表裏反転させて再び前記読取位置へ送る第二搬送路と、該第二搬送路を経由して第二面が読み取られた原稿を排出する排出トレイとを備えていると共に、前記第二搬送路が前記フラットベッドスキャナの原稿押圧板内に形成されていることを特徴としている。
【０００８】
上記の構成を有する請求項１に係る発明によれば、第一搬送路を経由して原稿の一面を読み取り、その後、原稿をスイッチバックさせることなく、第二搬送路を経由して同じ読取位置にて原稿の裏面を読み取って排出トレイへ排出することができる。
【０００９】
請求項２に係る発明は、前記第二搬送路は前記読取位置から略水平に延設される第一水平路と、原稿を上向きに表裏反転させる第二反転路と、該第二反転路から略水平に延設される第二水平路と、該第二水平路の終端から前記読取装置へ向かって傾斜する傾斜路とを備えていることを特徴としている。
【００１０】
上記の構成を有する請求項２に係る発明によれば、読取位置にて一面が読み取られた原稿をそのまま第一水平路、第二反転路、第二水平路、傾斜路を搬送することで、原稿の裏面を容易に読取位置に案内することができる。
【００１１】
請求項３に係る発明は、前記傾斜路に原稿を供給する原稿給紙口を備えた構成とし、前記傾斜路に供給された原稿が前記読取位置からそのまま排出トレイに排出される構成としていることを特徴としている。
【００１２】
上記の構成を有する請求項３に係る発明によれば、原稿の片面のみを容易に読み取ることができる。
【発明の効果】
【００１３】
本発明によれば、フラットベッドスキャナにＡＤＦを備えた構成の画像読取装置において、単一の読取位置にて、原稿をスイッチバックさせることなく、一方向に搬送して片面或いは両面を読み取ることができる原稿搬送装置とすることができ、搬送途中での原稿の斜行やジャム（紙詰まり）を防止することができる。
【発明を実施するための最良の形態】
【００１４】
スイッチバックさせることなく、原稿の片面或いは両面を読み取ることができる原稿搬送装置を得るという目的を、第一反転路により原稿の表裏を反転させつつ読取位置へ送る第一搬送路と、読取位置から排出される原稿の表裏を反転させつつ読取位置へ送り戻す第二搬送路を備える構成の原稿搬送装置とすることで実現した。
【実施例】
【００１５】
以下、本発明に係る原稿搬送装置の実施例について、図１から図３に基づいて説明する。
【００１６】
図１は本発明に係る原稿搬送装置の内部構成を示す概略断面図である。図２は両面読取の場合の原稿の流れを示すフローチャートである。図３は片面読取の場合の原稿の流れを示すフローチャートである。
【００１７】
図１に示す画像読取装置Ｍは、例えばファックス機能とコピー機能を有する装置であって、画像の読取と記録の両方を行うことができるものである。前記画像読取装置Ｍは本体上部に設けられたＡＤＦ（自動原稿給紙装置）４と、フラットベッドスキャナ５と、読取装置６と、排出トレイ３とを備えており、前記ＡＤＦ４から送られてくる原稿とフラットベッドスキャナ５を構成する押圧板５Ａの下部に位置するプラテンガラス５Ｂに載置される原稿との両方を読取可能な構成である。
【００１８】
読取装置６には読取用のＣＣＤヘッド７１を備える読取ユニット７が配設されていて、図中の水平方向に移動自在な反射ミラー部材８（ミラーｍ１，ｍ２，ｍ３とから構成されている）により、ＡＤＦ４直下に位置する読取位置ＡにてＡＤＦ４から搬送されてくる原稿を読み取ることも、プラテンガラス５Ｂ上に載置された原稿を、水平方向に移動して読み取ることもできる構成としている。押圧板５Ａはプラテンガラス５Ｂ上に載置される原稿を押えるカバー蓋である。
【００１９】
また、前記読取装置６の下部には、読み取られた画像を記録紙に記録する記録装置９が配設されているがここでは詳述しない。
【００２０】
原稿の搬送路としては、ＡＤＦ給紙口１から供給した原稿を読取位置Ａへ搬送する第一搬送路１０と、第一面が読み取られた原稿をそのまま送り出すと共に、原稿の表裏を反転させて、再度読取位置Ａへ搬送する第二搬送路とを備えている。
【００２１】
また前記第一搬送路１０は第一反転路１０Ａを備えており、第二搬送路２０は、前記読取位置Ａから略水平に延設される第一水平路２０Ａと、原稿を上向きに表裏反転させる第二反転路２０Ｂと、該第二反転路２０Ｂから略水平に延設される第二水平路２０Ｃと、該第二水平路２０Ｃの終端から前記読取装置Ａへ向かって傾斜する傾斜路２０Ｄとを備えている。
【００２２】
前記傾斜路２０Ｄから送り込まれ読取位置Ａにて第二面が読み取られた原稿は、排出ローラ２６から排出トレイ３へ排出される。
【００２３】
前記第一搬送路１０には搬送ローラ１１、１２、１３が配設されており、前記ＡＤＦ給紙口１から供給される原稿をＵ字状に搬送することで、原稿の表裏を反転させて読取位置Ａへ搬送する構成としている。つまり、ＡＤＦ給紙口１から供給される原稿の上面を読取位置においては下側にして、この面の画像を読み取るものである。つまり、第一面とは前記ＡＤＦ給紙口１から供給する原稿の上面を指しており、該上面の裏側の元々の下面が第二面に相当している。
【００２４】
第一面が読み取られて搬送ローラ１３から排出される原稿は、そのまま水平に送り出されて、搬送ローラ２１、２２間に構成される第一水平路２０Ａを搬送され、搬送ローラ２２の上部に配設される搬送ローラ２３と、該搬送ローラ２３から略水平方向であり且つ読取位置Ａに近づく方向に位置する搬送ローラ２４方向へ搬送される。
【００２５】
つまり、前記搬送ローラ２２から搬送ローラ２３に向けて上方に向かい略Ｕ字状に反転しながら第二水平路２０Ｃを経由して、搬送ローラ２４から下側に送り出され搬送ローラ２５を介して再度読取位置Ａへ送り込まれる。そのために、再度読取位置Ａに位置する原稿面は当初に読み取られた第一面の裏面に相当する第二面であり、この連続した搬送路を経過することで、原稿の両面を読み取り、排出トレイ３へ原稿を排出することができる。
【００２６】
上記で説明した搬送ローラはそれぞれ駆動ローラと従動ローラとからなる送りローラ対である。ただし送りローラ１３と２５とは駆動ローラ１３Ａの両側に相対向するように配設された構成とされていて、第一搬送路１０を搬送される原稿の送り出しを搬送ローラ１３が担当し、第二搬送路２０を搬送される原稿の取り込みを搬送ローラ２５が担当している。
【００２７】
そのために、原稿の両面を読み取る際に、原稿を連続した搬送路を一方方向に搬送するだけでよく、従来のようにスイッチバックさせる必要がない。故に、原稿の斜行やジャムが発生せずに、良好な原稿送りを行うことができる。
【００２８】
また、前記第二搬送路２０は前記原稿押圧板５Ａ内に形成されており、該原稿押圧板５Ａを閉じた状態で、ＡＤＦ給紙口１から原稿を供給して両面読取を行うように構成している。そのために、フラットベッドスキャナ５による読取を確実に停止している状態であるので、ＡＤＦとフラットベッドスキャナ５との読取を混同することがない。
【００２９】
原稿の片面だけを読み取る際には、画像が形成された面を下側にして、直接原稿給紙口２から直接搬送ローラ２４へ供給して、傾斜路２０Ｄを経由して搬送ローラ２５を介して読取位置Ａにて原稿の下面を読み取りそのまま排出トレイ３に排出する構成である。
【００３０】
つまり、両面読取、片面読取に拘らずに、全ての搬送ローラの回転方向は同一方向であって、原稿を連続した一方向に搬送するだけでよい。そのために、原稿を搬送する際に、原稿の斜行やジャムを防止することができる。
【００３１】
ここで図２と図３に示すフローチャートにより両面読取の場合と片面読取の場合との原稿の流れを再確認する。
【００３２】
先ず、両面読取の場合では図２に示すように、ステップＳ１にてＡＤＦ給紙口１に原稿を供給する。その原稿は第一搬送路１０を経過（Ｓ２）して、読取位置Ａにて原稿の片面を読み取る（Ｓ３）。片面が読み取られた原稿はそのまま第二搬送路２０を経過（Ｓ４）して、原稿の表裏を反転させられて再度読取位置Ａへ送り込まれて裏面を読み取る（Ｓ５）。その結果両面を読み取られた原稿が排出トレイ３へ排出され（Ｓ６）て原稿の搬送が終了する。
【００３３】
片面読取の場合では図３に示すように、原稿給紙口２に原稿を供給する（Ｓ１１）。原稿給紙口２に供給された原稿はそのまま傾斜路２０Ｄを経過（Ｓ１２）して読取位置Ａに送り込まれて原稿の片面が読み取られ（Ｓ１３）、そのまま排出トレイ３に排出される（Ｓ１４）。
【００３４】
また、排出トレイ３に排出される原稿は、両面読取の場合でも、片面読取の場合でも、共に同一方向に排出されるので、それぞれの給紙口に供給する際の原稿の上面がそのまま上面として排出されることになり、原稿の順番が狂うこともない。
【００３５】
上述したように、両面読取の場合でも片面読取の場合でも、スイッチバックせずに一方向に原稿を搬送すると共に、給紙口を二箇所に配設することで単一の読取位置にて読取操作を行う構成としているので、制御機構が簡単であり、搬送途中で原稿の斜行やジャム（紙詰まり）を生じることがない。
【００３６】
また、単一の読取位置及び読取装置にて読取を行うので、画質の低下を招くこともない。
【図面の簡単な説明】
【００３７】
【図１】本発明に係る原稿搬送装置の内部構成を示す概略断面図である。
【図２】両面読取の場合の原稿の流れを示すフローチャートである。
【図３】片面読取の場合の原稿の流れを示すフローチャートである。
【符号の説明】
【００３８】
１  ＡＤＦ給紙口
２  原稿給紙口
３  排出トレイ
４  ＡＤＦ
５  フラットベッドスキャナ
６  読取装置
１０  第一搬送路
１０Ａ  第一反転路
２０  第二搬送路
２０Ａ  第一水平路
２０Ｂ  第二反転路
２０Ｃ  第二水平路
２０Ｄ  傾斜路
Ａ  読取位置
Ｍ  画像記録装置
【図１】
2005094604.tif 000003
【図２】
2005094604.tif 000004
【図３】
2005094604.tif 000005